(57)【要約】【課題】開封後、物品を収容したままでも物品がはみ出さず、情報量が多く一覧性も高く、抜落ちなく取出し物品に括り付け可能な情報カードが得られる包装箱を提供する。【解決手段】側板１ａ〜１ｄがなす角筒状体の一方の開口端面３ａを閉じる端板４ａが、同開口端面を閉じる端板主部４ａ１と、そこから延出する端板延出部４αとからなる。同端板延出部は、基部４ａ２、切離し部４ａ３及び先端部４ａ４からなり、正面側板１ｃ表面に重ねられ、同表面に先端部４ａ４において固定される。端板延出部４αの切離し部４ａ３と、基部４ａ２，先端部４ａ４との境目には第１切取線５ａ，５ｂが形成され、両第１切取線中、１本の破断により包装箱開封がなされ、２本の破断により包装箱開封及び切離し部４ａ３の切り離しがなされ、同切離し部を情報カードとして利用可能である。【選択図】図２
0003167277.tif 000002
【実用新案登録請求の範囲】
【請求項１】
角筒状の周壁を形成する複数の側板と、この複数の側板が形成する角筒状体の一対の開口端面を各別に閉じる、前記側板から延出形成された端板とを備えてなる物品の包装箱であって、
前記一対の開口端面のうちの一方の開口端面を閉じる端板は、
その一方の開口端面を閉じる端板主部と、この端板主部から延出する端板延出部とからなり、
前記端板延出部は、さらに端板延出部基部、端板延出部切離し部及び端板延出部先端部からなると共に、その全体が、端板が延出形成された前記側板に対向する側板である正面側板の表面に重ね合わされ、その正面側板の表面に前記端板延出部先端部において固定されるようになっており、
前記端板延出部基部と前記端板延出部切離し部の境目及び該端板延出部切離し部と前記端板延出部先端部の境目にはそれぞれ第１切取線が形成され、
前記端板延出部が前記端板延出部先端部で前記正面側板に固定された状態で前記第１切取線のうちの１本の破断がされれば包装箱開封がなされ、２本の破断がされれば包装箱開封がなされると共にその２本の第１切取線で挟まれた前記端板延出部切離し部が切り離され情報カードとして利用可能であることを特徴とする包装箱。
【請求項２】
内部に収容される物品に係わる情報が、前記端板延出部切離し部に予め記されていることを特徴とする請求項１に記載の包装箱。
【請求項３】
前記端板延出部切離し部が前記端板延出部の延出方向に交差する方向に切り離されることにより複数に分割可能となるように、１本又は複数本の第２切取線が形成されていることを特徴とする請求項１又は２に記載の包装箱。
【請求項４】
前記第１切取線のうち、前記端板延出部基部と前記端板延出部切離し部の境目に形成された第１切取線は、その長さ方向のほぼ中央部への押圧に応じてその押圧箇所から左右各方向に向けて破断されるように、長さ方向のほぼ中央部を基点として左右対象の切込み形状をなすことを特徴とする請求項１、２又は３に記載の包装箱。
【請求項５】
前記端板延出部基部と前記端板延出部切離し部の境目に形成された第１切取線は、その長さ方向のほぼ中央部の切込みを他の箇所の切込みよりも長く形成されていることを特徴とする請求項４に記載の包装箱。
【請求項６】
前記端板延出部切離し部と前記端板延出部先端部の境目に形成された第１切取線は、ミシン目状に形成されていることを特徴とする請求項１から５のいずれか１項に記載の包装箱。
【請求項７】
前記正面側板の下方に、両端が同正面側板下端の左右両隅部に至る弧状切取線が形成されていることを特徴とする請求項１から６のいずれか１項に記載の包装箱。
【考案の詳細な説明】
【技術分野】
【０００１】
本考案は、内部に収容される物品（被包装物）に係わる情報が記される包装箱であって、特に複数の医薬品が包装されたカートン商品の包装に好適な包装箱に関するものである。
【背景技術】
【０００２】
従来、内部に収容される物品に係わる情報が記される包装箱としては、特許文献１に記載のものがある。これは、物品を包装する箱体の周壁を周回し、その箱体を上下に分割するように細長い帯状の切取片を有する箱体であって、その切取片の外面に物品に係わる情報（品質保証書等の収納位置を示す情報）の表示部を設けるという包装箱である。
【先行技術文献】
【特許文献】
【０００３】
【特許文献１】実公昭６１−７１３９号公報
【考案の概要】
【考案が解決しようとする課題】
【０００４】
しかしながら上記従来技術では、次のような問題点があった。
すなわち、物品に係わる情報は、箱体を上下に分割するように箱体周壁を周回する細長い帯状の切取片に記されるが、このような細長い帯状の切取片ではこれに記す情報量に限界がある上に、行数が少なく横に細長い情報表示となり、一覧性が低く全情報を得にくい（記された文字の全体が一目で把握しにくい）。しかも、切取片を切除した場合に、箱体が上下方向に大きく分断されてしまう。このため、開封はしたが物品をそのまま箱体内に入れておきたい場合に、物品が箱体から大きくはみ出てしまう。
また、この細長い帯状の切取片は、切除後は用済みになって廃棄されるが、これに表示される情報によっては、物品と共に取り置きたい場合がある。しかし、このような場合に、細長い帯状の切取片では扱い難い。例えば、情報表示箇所を除く部分を適宜箇所で切断し除去して情報表示部分のみを残し、この部分を取り置いて使用することにすれば比較的扱い易くはなる。しかし、これでは作業が面倒になる上に見栄えが劣り、また、矢張り細長い形態になりやすい。このため、例えば輪ゴムやひも等の括付（くくりつけ）部材を用いて情報表示箇所を物品に括り付けた場合に、表示情報が見づらくなり、また抜落ちや損傷が生じやすい等の問題点があった。
【０００５】
本考案は、上記のような問題点を解消するためになされたもので、開封後、物品を収容したままにする場合に物品が箱体から大きくはみ出ることがなく、しかも、開封と共に得られる切離し部を、情報量が多く一覧性も高い情報カードとして得ることができ、また、内部から取り出した物品に、抜落ちや損傷を生じさせることなく括り付け可能な情報カードとして得ることができる包装箱を提供することを目的とする。
【課題を解決するための手段】
【０００６】
上記目的を達成するために、請求項１に記載の考案は、角筒状の周壁を形成する複数の側板と、この複数の側板が形成する角筒状体の一対の開口端面を各別に閉じる、前記側板から延出形成された端板とを備えてなる物品の包装箱であって、前記一対の開口端面のうちの一方の開口端面を閉じる端板は、その一方の開口端面を閉じる端板主部と、この端板主部から延出する端板延出部とからなり、前記端板延出部は、さらに端板延出部基部、端板延出部切離し部及び端板延出部先端部からなると共に、その全体が、端板が延出形成された前記側板に対向する側板である正面側板の表面に重ね合わされ、その正面側板の表面に前記端板延出部先端部において固定されるようになっており、前記端板延出部基部と前記端板延出部切離し部の境目及び該端板延出部切離し部と前記端板延出部先端部の境目にはそれぞれ第１切取線が形成され、前記端板延出部が前記端板延出部先端部で前記正面側板に固定された状態で前記第１切取線のうちの１本の破断がされれば包装箱開封がなされ、２本の破断がされれば包装箱開封がなされると共にその２本の第１切取線で挟まれた前記端板延出部切離し部が切り離され情報カードとして利用可能であることを特徴とする。
請求項２に記載の考案は、請求項１に記載の考案において、内部に収容される物品に係わる情報が、前記端板延出部切離し部に予め記されていることを特徴とする。
請求項３に記載の考案は、請求項１又は２に記載の考案において、前記端板延出部切離し部が前記端板延出部の延出方向に交差する方向に切り離されることにより複数に分割可能となるように、１本又は複数本の第２切取線が形成されていることを特徴とする。
請求項４に記載の考案は、請求項１、２又は３に記載の考案において、前記第１切取線のうち、前記端板延出部基部と前記端板延出部切離し部の境目に形成された第１切取線は、その長さ方向のほぼ中央部への押圧に応じてその押圧箇所から左右各方向に向けて破断されるように、長さ方向のほぼ中央部を基点として左右対象の切込み形状をなすことを特徴とする。
請求項５に記載の考案は、請求項４に記載の考案において、前記端板延出部基部と前記端板延出部切離し部の境目に形成された第１切取線は、その長さ方向のほぼ中央部の切込みを他の箇所の切込みよりも長く形成されていることを特徴とする。
請求項６に記載の考案は、請求項１から５のいずれか１項に記載の考案において、前記端板延出部切離し部と前記端板延出部先端部の境目に形成された第１切取線は、ミシン目状に形成されていることを特徴とする。
請求項７に記載の考案は、請求項１から６のいずれか１項に記載の考案において、前記正面側板の下方に、両端が同正面側板下端の左右両隅部に至る弧状切取線が形成されていることを特徴とする。
【考案の効果】
【０００７】
請求項１に記載の考案（包装箱）によれば、第１切取線の破断による開封箇所が包装箱最上部となるので、開封後、物品を収容したままにしても、物品が包装箱から大きくはみ出すことがない上、物品を再度包装箱に封緘することができる。また、２本の第１切取線の破断によって包装箱開封がなされると共に端板延出部切離し部が得られる。この端板延出部切離し部は、２本の第１切取線について任意に定められた間隔に相当する寸法を有し、したがって、細長い形態ではない情報カードとして利用可能である。すなわち、開封と共に得られる端板延出部切離し部を、情報量が多く一覧性も高い情報カードとして得ることができ、また、内部から取り出した物品に、抜落ちや損傷を生じさせることなく括り付け可能な情報カードが得られる等の効果を発揮できる。
なお、情報カードにおける情報は、端板延出部切離し部に印刷等によって予め記しておいてもよいし、内部から取り出した物品に括り付ける際に手書き等で記してもよく、あるいは、それらの両方によって記すようにしてもよい。
請求項２に記載の考案によれば、包装箱内部に収容される物品に係わる情報が、端板延出部切離し部に予め記されているので、該端板延出部切離し部を物品に係わる情報カードとしてそのまま利用し得るという効果を発揮できる。
請求項３に記載の考案によれば、第２切取線が形成されているので、端板延出部切離し部から複数の情報カードが得られる。したがって、包装箱内に複数個の物品が収容されている場合に、情報カードを複数個の物品について一対一対応で括り付けることができる等の効果を発揮できる。
請求項４に記載の考案によれば、第１切取線が、その長さ方向のほぼ中央部への押圧によって破断されるようにしたので、第１切取線の破断、つまり包装箱開封がし易くなるという効果を発揮できる。
請求項５に記載の考案によれば、請求項４に記載の考案において、第１切取線の長さ方向のほぼ中央部の切込みが他の箇所の切込みよりも長く形成されるので、第１切取線の破断（包装箱開封）が更にし易くなるという効果を発揮できる。
請求項６に記載の考案によれば、端板延出部切離し部と端板延出部先端部の境目の第１切取線をミシン目状に形成したので、同第１切取線の破断を、端板延出部切離し部と端板延出部基部の境目に形成された第１切取線の破断に従属させず、別個に行ない易くし得る。したがって、包装箱開封はするが商品をそのまま包装箱内に入れておき、端板延出部切離し部（情報カード）を端板延出部先端部から切り離したくない場合に役立つという効果を発揮できる。
請求項７に記載の考案によれば、正面側板の下方に弧状切取線を形成したので、包装箱廃棄時において同包装箱を板状に畳むことが容易になるという効果を発揮できる。
【図面の簡単な説明】
【０００８】
【図１】本考案の第１実施形態に係る包装箱のブランクを示す図である。
【図２】同上包装箱の封緘状態を示す斜視図である。
【図３】同じく正面図である。
【図４】同じく上面図である。
【図５】同じく背面図である。
【図６】同じく底面図である。
【図７】同上包装箱の開封後の状態の一例を示す斜視図である。
【図８】包装箱から切り離された端板延出部切離し部（情報カード）が同包装箱から取り出された商品に輪ゴムで括り付けた状態の一例を示す斜視図である。
【図９】本考案の第２実施形態に係る包装箱の封緘状態を示す斜視図である。
【図１０】同上包装箱の開封後の状態の一例を示す斜視図である。
【図１１】本考案の第３実施形態に係る包装箱の封緘状態を示す斜視図である。
【図１２】同上包装箱の開封後の状態の一例を示す斜視図である。
【図１３】第１切取線に他の例が適用された第４実施形態に係る包装箱の正面図である。
【図１４】同じく第５実施形態に係る包装箱の正面図である。
【図１５】同じく第６実施形態に係る包装箱の正面図である。
【図１６】同上第４実施形態に係る包装箱の開封後の状態の一例を示す斜視図である。
【図１７】同上第５実施形態に係る包装箱の開封後の状態の一例を示す斜視図である。
【図１８】同上第６実施形態に係る包装箱の開封後の状態の一例を示す斜視図である。
【考案を実施するための形態】
【０００９】
以下、本考案の実施の形態を図面に基づき説明する。なお、各図間において、同一符号は同一又は相当部分を示す。
図１〜図６は、本考案の第１実施形態に係る包装箱を示す図で、図１はブランクを示す図（包装箱展開図）、図２は封緘状態を示す斜視図、図３は同正面図、図４は同上面図、図５は同背面図、図６は同底面図である。
【００１０】
本考案の包装箱の第１実施形態は、図１に示す外形状を有する平板状の段ボールや厚紙等からなる板紙ブランクにより形成される。図１は、展開された包装箱の表面側が示されている。
図１に示す板紙ブランクは、図２〜図６に示す角筒状の周壁を形成する一連の側板１…、図示例では四角筒状（以下、角筒状と略記する。）の周壁を形成する４面一連の側板１ａ，１ｂ，１ｃ，１ｄを備える。
この一連の側板１ａ，１ｂ，１ｃ，１ｄの両端側に位置する側板１ａ，１ｄのうちのいずれか一方の側板、図示例では側板１ａの外側端には継ぎしろ片２が連設されている。
また、この一連の側板１ａ，１ｂ，１ｃ，１ｄが形成する四角筒状体（以下、角筒状体と略記する。）の上下一対の開口端面３ａ，３ｂを各別に閉じる端板４…を備える。
この端板４…は、各々側板１から延出形成されるが、図示例では、上開口端面３ａ側は角筒状体の開口端の三辺（側板１ａ，１ｂ，１ｄ上端）から、下開口端面３ｂ側は角筒状体の開口端の全四辺（側板１ａ，１ｂ，１ｃ，１ｄ上端）から、各々延出形成されている。
各端板４ａ〜４ｇのサイズや形状は特に揃えられる必要はないが、板紙ブランクが包装箱として組立てられた際には、上下開口端面３ａ，３ｂが上下各別の端板４ａ〜４ｃ；４ｄ〜４ｇによって全閉されるように形成される。
【００１１】
上下開口端面３ａ，３ｂのうちの一方側の端板のいずれか１つの端板、図示例では上開口端面３ａを閉じる端板４ａは、端板主部４ａ１と端板延出部４αとを有してなる。この場合、端板主部４ａ１は上開口端面３ａの全面を閉じる端板主要部分である。
前記端板延出部４αは、端板延出部基部４ａ２、端板延出部切離し部４ａ３及び端板延出部先端部４ａ４からなる
この端板延出部４αは、端板主部４ａ１から延出し、端板４ａが延出形成された上記側板１ａに対向する側板（包装箱正面をなす側板で、以下正面側板とも記す。）１ｃの表面に折り重ね合わされ、その正面側板１ｃの表面に端板延出部先端部４ａ４が固定、例えば貼り付けにより固定される端板副部分である。
【００１２】
前記端板延出部基部４ａ２と端板延出部切離し部４ａ３の境目及び端板延出部切離し部４ａ３と端板延出部先端部４ａ４の境目にはそれぞれ第１切取線５（５ａ，５ｂ）が形成されている。この２本の第１切取線５ａ，５ｂは、端板延出部４αの延出方向に、詳細を後述する適宜の間隔Ｓ１を有し、かつ、端板延出部４αの延出方向に交差する方向に、図示例では直交する方向に形成されている。
２本の第１切取線５ａ，５ｂは、図示例では各々鉤状ないしＬ字状の切れ目（スリット）と繋部とが交互に連続するジッパと称される切取線（ジッパ型の切取線）からなるが、これ以外の、例えば直線状の切れ目（スリット）が断続するミシン目状の切取線であってもよい。２本の第１切取線５ａ，５ｂをジッパ型とすれば、後述する情報カードＣの抜落ち防止効果がより期待できる。
なお、２本の第１切取線５ａ，５ｂの上記切れ目の間隔は均等であっても非均等であってもよい。
【００１３】
上記２本の第１切取線５ａ，５ｂは、いずれか１本のみの破断によれば、その１本の第１切取線５ａ又は５ｂは開封切取線として機能し、２本共の破断によれば、その２本の第１切取線５ａ，５ｂは開封兼情報カード分離用切取線として機能する。
すなわち、２本の第１切取線５ａ，５ｂにおいて、いずれか１本を破断すれば包装箱開封がなされる。また、２本とも破断すれば包装箱開封がなされると共にその２本の第１切取線５ａ，５ｂで挟まれた端板延出部切離し部４ａ３が端板延出部４αの残余の部分から切り離される。そして、その端板延出部切離し部４ａ３が、図７に示すように包装箱から独立した情報カード（情報を記したカード）Ｃとして利用可能となる。
【００１４】
図１に示すように、２本の第１切取線５ａ，５ｂの間隔Ｓ１は、端板延出部切離し部４ａ３が情報カードＣとしての外形状をなすように、端板延出部４αの延出方向に直交する方向の寸法（第１切取線５ａ，５ｂ長さ寸法）Ｓ２との比を考慮した寸法に設定される。好ましくは、包装箱収容物品の、情報カード括付面として想定される面の大きさに相応する寸法に設定される。少なくとも、端板延出部切離し部４ａ３が細長い帯状にならないように設定される。
【００１５】
上記端板延出部切離し部４ａ３（情報カードＣ）には、組み立てられた包装箱内に収容される物品に係わる情報Ｉ（図７，図８参照）が予め印刷等によって記されている。図示例において、上記物品に係わる情報Ｉは、その具体的内容が省略され、また図７，図８のみに示したが、各図における端板延出部切離し部４ａ３に同様に記されている。
なお、上記物品に係わる情報Ｉとしては、物品の名前（商品名等）、特徴、個数（１つの物品が複数の物品からなる場合はその物品の個数や量）、使用法の説明、使用期限、製造番号、注意書き、バーコード等の各種コード、製造会社名等のうち、所望の情報を文字、記号等で表わした情報が挙げられる。
物品が医薬品である場合には、その調剤管理に有用な情報、特に医薬品の取り違えによる医療事故の防止に有用な各種情報が挙げられる。
これらの情報Ｉは、通常、包装箱表面側となる面に記されるが、裏面側となる面、あるいは表裏両面側に記してもよい。また、前記の情報Ｉは前記端板延出部切離し部４ａ３ （情報カードC）に記すと同時に、同じ情報を包装箱の任意の箇所に記してもよい。物品に係わる情報以外の情報を上記端板延出部切離し部４ａ３（情報カードＣ）に印刷してもよい。
【００１６】
説明を図１に戻すと、このような板紙ブランク上の、一連の側板１ａ，１ｂ，１ｃ，１ｄ中の隣接する側板相互の境目、側板１ａと継ぎしろ片２との境目、及び端板４ａ〜４ｇが延出形成された側板１ａ〜１ｄと同端板４ａ〜４ｇとの境目には、折曲線Ｌ１〜Ｌ１１が形成されている。また端板４ａの、端板主部４ａ１と端板延出部４αとの境目には、折曲線Ｌ１２が形成されている。
各折曲線Ｌ１〜Ｌ１２は、例えば板紙ブランクの肉厚を上記の各境目にて直線状に圧縮して形成される。
【００１７】
上記のようなブランクを組み立てて物品、例えば商品を包装するには、図２に示すように、４面一連の側板１ａ〜１ｄを上記折曲線Ｌ１〜Ｌ４にて角筒状に折り曲げ、継ぎしろ片２を、これが連設された側板１ａとは反対側の側板１ｄの内面に貼り付けて角筒状体の周壁を形成し、下方の端板４ｄ〜４ｇを折曲線Ｌ８〜Ｌ１１にて内側（上記角筒状体の内側）へ折り曲げる。
そして、端板同士、図示例では端板４ｄ，４ｆを重ね合わせて貼り付けることにより、角筒状体の下開口端面（底面）３ｂを閉止する。この場合、小サイズの一対の端板４ｅ，４ｇを先に内側へ折り曲げた後、大サイズの一対の端板４ｄ，４ｆを内側に折り曲げ、同一対の端板４ｄ，４ｆを重ね合わせて貼り付ける。本実施形態では、図６に示すように端板４ｄが端板４ｆを覆うように端板４ｄ，４ｆを重ね合わせて貼り付ける。
【００１８】
その後、未封緘の包装箱（上下開口端面３ａ，３ｂのうち下開口端面３ｂのみが閉止された角筒状体）内に商品を収納し、上方の端板４ａ〜４ｃを折曲線Ｌ５〜Ｌ７にて内側へ折り曲げる。この場合、小サイズの一対の端板４ｂ，４ｃを先に内側へ折り曲げた後、端板主部４ａ１と端板延出部４αとを有してなる大サイズの端板４ａを内側へ折り曲げる。
大サイズの端板４ａについては、更に折曲線Ｌ１２にて下方側（上記角筒状体の下方側）にほぼ直角に折り込む。そして、その折り込んだ端板４ａの端板延出部４αを、端板４ａが延出形成された側板１ａに対向する正面側板１ｃの表面に重ね合わせる。そして、その正面側板１ｃの表面に端板延出部先端部４ａ４を重ねて貼り付け、固定することによって角筒状体の上開口端面（上面）３ａを閉止、封緘する。
【００１９】
上記のように封緘した包装箱（図２〜図６参照）においては、その封緘状態において端板延出部先端部４ａ４を除く部分は、正面側板１ｃに重ね合わされているが貼り付けられてはいない。したがって、この封緘状態の包装箱は、開封に当たって端板延出部先端部４ａ４を除く部分において２本の第１切取線５ａ，５ｂを一端から他端にかけて破断しながら切り離すと、図７に示すように、開封と同時に端板延出部切離し部４ａ３が得られる。
【００２０】
この端板延出部切離し部４ａ３は、従来技術におけるような扱いにくい細長い帯状ではなく、カード状に設定されており、この端板延出部切離し部４ａ３には、従来技術における細長い帯状体のものに比べてその商品に係わる情報が多く記されている。
したがって、開封して商品が取り出されて無用になった包装箱が廃棄される際に、上記端板延出部切離し部４ａ３を容易に取り置き、従来技術における細長い帯状体のものに比べて情報量が多く、かつ一覧性の高い情報カードＣとして利用できる。しかもこの情報カードＣを、図８に示すように包装箱から取り出された商品６に、輪ゴムやひも等の括付部材７によって容易に、かつ見栄えよく、また見やすく括り付けることができる。更に、商品６に輪ゴム等の括付部材７で括り付けた場合に、従来技術における細長い帯状体のものに比べて抜落ちや損傷が生じ難い。
【００２１】
なお図８は、３個の商品６…が収容された包装箱内から取り出された１個の商品６に１枚の情報カードＣ（端板延出部切離し部４ａ３）を１本の輪ゴム７で括り付けた状態を示しているが、３個の商品６…を纏めて１本の輪ゴム７で括り付けてもよいことは勿論である。１個の商品６としては、複数の商品が纏まって１個（１パック）の商品を構成している場合を含むことも勿論である。
また、１つの端板延出部切離し部４ａ３から複数枚の情報カードＣが得られるようにして、包装箱内に収容された複数の商品６に対して、より多く一対一対応で情報カードＣを括り付け可能にしてもよく、その具体例は後述する。
【００２２】
図７及び図８から分かるように、端板延出部切離し部４ａ３（情報カードＣ）の対向する２辺には、第１切取線５ａ，５ｂ（ジッパ）破断時の痕跡として凹凸が残るが、これが輪ゴム等の括付部材７の滑り止めとなるので、情報カードＣの抜落ち防止に役立つ。この抜落ち防止効果は、情報カードＣが、包装箱から取り出された商品６の大きさに相応する寸法（商品６の情報カード括付面サイズ程度の寸法、特にそれより僅かに大きい寸法）に設定されている場合に顕著である。商品６に係わる情報が記された端板延出部切離し部４ａ３部分を鋏やカッターナイフで切り取って情報カードＣに代用する方法では、手間がかかる上に上記の抜落ち防止効果を得にくい。
【００２３】
商品６が医薬品である場合には、この商品６に一体に情報カードＣを括り付ければ、特に医薬品の取り違えによる医療事故の防止に有効な各種情報を、包装箱の廃棄後においてもその医薬品に継続して付随させ得る。換言すれば、上記のような医療事故の防止に役立つ。この情報カードＣは、従来技術における細長い帯状体のものに比べてその商品（医薬品）６に係わる情報を多く記すことができ、かつ一覧性を高くし得る。
【００２４】
また、２本の第１切取線５ａ，５ｂのうち、いずれか１本のみの、あるいは２本共の破断で包装箱を開封できるが、いずれによっても開封箇所は包装箱最上部である。したがって、開封によって箱体が上下方向に大きく分断されてしまう従来技術の包装箱のように、開封はしたが商品６をそのまま箱体内に入れておきたい場合に生じた問題、すなわち商品が箱体から大きくはみ出てしまうという問題を解消し得る上、端板延出部基部４a２を正面側板１ｃの内側に挿入することにより商品６を再度封緘して保存し得る。
【００２５】
なお、正面側板１ｃの上端部には、図１，図７に示すように上側が開口するほぼ半円状の切欠き８が形成されており、包装箱開封時における商品６の取り出しを容易にしている。
また、図１〜図３に示すように、包装箱正面側の正面側板１ｃの下方には、両端が同正面側板１ｃ下端の左右両隅部に至る弧状切取線９が形成されており、包装箱廃棄時において同包装箱を板状に畳むことを容易にしている。すなわち、弧状切取線９の中央部の直下を指等で押圧することにより正面側板１ｃの下部を弧状切取線９に沿って破断させ、図７に示すように正面側板１ｃの下端部分を端板４ｆと共に開披させ、包装箱を板状に畳むことを容易にしている。
【００２６】
図９及び図１０は、本考案の第２実施形態に係る包装箱を示す斜視図で、図９は封緘状態を示し、図１０は開封後の状態の一例を示す。
この図９及び図１０は、端板延出部切離し部４ａ３を、端板延出部４αの延出方向に交差する方向で複数枚、等分割可能に、図示例では直交する方向で３枚、等分割可能に、第２切取線（カード分割用切取線）１０を２本形成した包装箱を例示する。
この第２実施形態によれば、情報カードＣが複数枚、図示例では３枚得られるので、１個の包装箱内に複数個、例えば３個の商品６が収容されている場合に、その３個の商品６…の全てについて一対一対応で等寸法の情報カードＣを括り付けることができる。
【００２７】
図１１及び図１２は、本考案の第３実施形態に係る包装箱を示す斜視図で、図１１は封緘状態を示し、図１２は開封後の状態の一例を示す。
この図１１及び図１２は、端板延出部切離し部４ａ３を、端板延出部４αの延出方向に直交する方向で２枚、異なる長さ寸法で分割可能に、第２切取線１０を１本形成した包装箱を例示する。
この第３実施形態によれば、情報カードＣが２枚、異なる長さ寸法で得られるので、１個の包装箱内に２個の異なる寸法の商品６，６が収容されている場合に、その２個の商品６，６共、それらの寸法に応じた異なる寸法の情報カードＣを一対一対応で括り付けることができる。
上記第２切取線１０は、図９〜図１２に示す第２，第３実施形態共に、ミシン目状の切取線としたが、これのみに限られないことは勿論である。
【００２８】
図１３は、第１切取線に他の例が適用された第４実施形態に係る包装箱、図１４は、同じく第５実施形態に係る包装箱、図１５は、同じく第６実施形態に係る包装箱、を各々例示する。図１３〜図１５はいずれも正面図である。
これら図１３〜図１５に示す包装箱の第１切取線５は、端板延出部４αの延出方向に直交する方向に２本形成されていることは第１〜第３実施形態（図２，図９，図１１）と同様であるが、次の点で異なる。
すなわち、図１３〜図１５に示す包装箱の第１切取線５は、その２本のうちの図中、上方側の１本（第１切取線５ｃ）は、おおよそジッパ型ではある。しかし、その長さ方向のほぼ中央部の切込み（切れ目）が他の箇所の切込みよりも長く形成されると共に、左右対称の形状、例えば台形状又は逆台形状、図示例では台形状５ｃ１に形成されている。また、第１切取線５ｃ全体も、長さ方向のほぼ中央の台形状５ｃ１部分を基点として左右対称に形成されている。
これによれば、第１切取線５ｃの長さ方向ほぼ中央の台形状５ｃ１の直上部分や直下部分を指等で押圧することにより、その押圧箇所から左右各方向に向けて第１切取線５ｃが破断され、第１切取線５ｃの破断が容易になる。正面側板１ｃの上端部に形成された半円状の切欠き８は、上記台形状５ｃ１の直上部分の押圧を容易にし、第１切取線５ｃの破断をし易くする。
【００２９】
この第４〜第６実施形態（図１３〜図１５）では、２本の第１切取線５のうちの図中、下方側の１本（第１切取線５ｄ）も上記第１〜第３実施形態とは異なり、ミシン目状の切取線とされている。一般に、ジッパ型の切取線（第１切取線５ｃを含む）は、ミシン目状の切取線よりも容易に破断し易い。そこで、ジッパ型の第１切取線５ｃを包装箱上方側に形成して包装箱開封を容易にする一方で、それより下方側の第１切取線５ｄをミシン目状の切取線とすることにより、その第１切取線５ｄの破断を第１切取線５ｃの破断に従属させず、別個に行ない易くし得る。  これによれば、差し当たり包装箱開封はするが商品をそのまま包装箱内に入れておき、その後の所望時に商品を取り出し、残る第１切取線５ｄの破断をその時に行なう。そして、得られた端板延出部切離し部４ａ３（情報カードＣ）を、取り出した商品に括り付ける、という場合に極めて役立つ。
この第４〜第６実施形態によっても、開封箇所は包装箱最上部である。したがって、開封によって箱体が上下方向に大きく分断されてしまう従来技術の包装箱のように、開封はしたが商品６をそのまま箱体内に入れておきたい場合に生じた問題、すなわち商品が箱体から大きくはみ出てしまうという問題を解消し得る上、端板延出部基部４a２を正面側板１ｃの内側に挿入することにより商品６を再度封緘して保存し得る。
なお、この第４〜第６実施形態では、上記第１〜第３実施形態（図２，図９，図１１）における弧状切取線９が形成されていないが、第４〜第６実施形態においても弧状切取線９を形成してよいことはいうまでもない。
第４〜第６実施形態に係る各包装箱の開封後の状態の一例を示せば、図１６〜図１８の通りである。図１６〜図１８はいずれも斜視図であり、第１切取線５ｄの破断前の状態を示している。図１６〜図１８については、図１３〜図１５と同一部分に同一符号を付してその説明を省略する。
【符号の説明】
【００３０】
１ａ，１ｂ，１ｃ，１ｄ：側板（１ｃ：正面側板）、３ａ，３ｂ：上下開口端面、４ａ〜４ｇ：端板、４ａ１：端板主部、４α：端板延出部、４ａ２：端板延出部基部、４ａ３：端板延出部切離し部、４ａ４：端板延出部先端部、５（５ａ〜５ｄ）：第１切取線、６：商品（物品）、７：輪ゴム等の括付部材、１０：第２切取線、Ｃ：情報カード、Ｉ：収容物品に係わる情報。
【図１】
0003167277.tif 000003
【図２】
0003167277.tif 000004
【図３】
0003167277.tif 000005
【図４】
0003167277.tif 000006
【図５】
0003167277.tif 000007
【図６】
0003167277.tif 000008
【図７】
0003167277.tif 000009
【図８】
0003167277.tif 000010
【図９】
0003167277.tif 000011
【図１０】
0003167277.tif 000012
【図１１】
0003167277.tif 000013
【図１２】
0003167277.tif 000014
【図１３】
0003167277.tif 000015
【図１４】
0003167277.tif 000016
【図１５】
0003167277.tif 000017
【図１６】
0003167277.tif 000018
【図１７】
0003167277.tif 000019
【図１８】
0003167277.tif 000020